(57)【要約】本発明は、改造された搾乳ポンプを利用して母乳を提供者から絞り出して集める方法及び装置に関する。乳房シールドは、提供者の乳房に係合して提供者からの母乳の絞り出しを容易にするようになっている。可撓性膜(120)と乳房シールドの一部との間に一時的ｕリザーバが形成され、この一時的リザーバは、提供者の乳房からの絞り出しの際に母乳を集めるために設けられる。それにより、絞り出し操作中、提供者は横臥姿勢を取った状態で、絞り出された母乳を一時的流体リザーバ内に集めることができる。また、可撓性膜(120)は、独特な表面の特徴(144,148)を備えている。母乳を一時的リザーバから収集受け器に運ぶためのバイパス組立体を設けるのがよい。
2004528907.tif 000002
【特許請求の範囲】
【請求項１】
搾乳ポンプ組立体の利用により母乳を絞り出して集める方法であって、
搾乳ポンプ組立体を準備する段階を有し、前記搾乳ポンプ組立体は、その乳房シールドに当てられる可撓性膜を有し、前記乳房シールドは、乳房からの母乳の絞り出しを容易にするよう乳房に当たるような寸法及び形状になっており、
更に、前記可撓性膜と前記乳房シールドの一部との間に、乳房からの絞り出し時に母乳を当初集める一時的流体リザーバを形成する段階と、
横臥姿勢であっても幾分かの絞り出された母乳を前記一時的流体リザーバ内に集めることを可能にする段階と、を有することを特徴とする方法。
【請求項２】
母乳を前記一時的流体リザーバから収集受け器に運ぶバイパス手段を準備する段階を更に有していることを特徴とする請求項１記載の方法。
【請求項３】
絞り出し操作の全体にわたって前記搾乳ポンプ組立体を横臥姿勢で用いる段階を更に有していることを特徴とする請求項２記載の方法。
【請求項４】
前記可撓性膜が、流体コレクタへの解放自在な係合を達成するようになった封止部分を備える可撓性本体と、前記可撓性本体の外側部のところで人の乳房に当接するように形作られたアクセスポートとを有し、前記アクセスポート及び前記可撓性本体は、絞り出された母乳を前記可撓性本体を横切って前記可撓性本体の内側部のところの前記一時的収集リザーバに差し向けるよう構成されていることを特徴とする請求項１記載の方法。
【請求項５】
母乳を絞り出す方法であって、
搾乳ポンプ組立体を準備する段階を有し、前記搾乳ポンプ組立体は、その乳房シールドに当てられる可撓性膜を有し、一時的流体リザーバが可撓性膜と乳房シールドとの間に設けられ、
更に、絞り出し操作中の或る期間にわたり横臥姿勢を取る段階を有し、それにより、絞り出された母乳が一時的流体リザーバ内に集められることを特徴とする方法。
【請求項６】
母乳を一時的流体リザーバから収集受け器に運ぶバイパス組立体を準備する段階を更に有していることを特徴とする請求項５記載の方法。
【請求項７】
搾乳ポンプシールド組立体であって、
人の乳房を挿通状態で受け入れるような寸法及び形状になった開口部を備える乳房シールドと、
前記乳房シールドの上に係合する可撓性膜と、を有し、それにより、一時的流体リザーバが、可撓性膜と乳房シールドとの間に形成され、前記可撓性膜は、その外側部のところが人の乳房に当接するように形作られたアクセスポートを有し、その結果、人の乳房の乳首がアクセスポートを貫き、絞り出された母乳が一時的流体リザーバ内に収集可能であることを特徴とする搾乳ポンプシールド組立体。
【請求項８】
前記可撓性膜は、その周囲にぐるりと形成された弾性バンドを含み、前記弾性バンドは、前記乳房シールドの口に解放自在に係合するような寸法及び形状になっていることを特徴とする請求項７記載の搾乳ポンプシールド組立体。
【請求項９】
前記可撓性膜は、複数の互いに間隔を置いた特徴部を有し、前記特徴部の各々は、凹状窪みと凸状特徴部のうちの一方であり、前記アクセスポートの周りに配置された前記可撓性膜の外面に形成されていることを特徴とする請求項７記載の搾乳ポンプシールド組立体。
【請求項１０】
前記可撓性膜は、複数の互いに間隔を置いた凹状窪みを含み、この凹状窪みは、前記アクセスポートの周りに配置された前記膜の外面に形成されていることを特徴とする請求項７記載の搾乳ポンプシールド組立体。
【請求項１１】
前記複数の互いに間隔を置いた凹状窪みの各々は、前記アクセスポートと連通状態にある内縁部を含んでいることを特徴とする請求項１０記載の搾乳ポンプシールド組立体。
【請求項１２】
前記複数の互いに間隔を置いた凹状窪みの隣接した対を、これらの間に凸状の隆起部を形成することを特徴とする請求項１０記載の搾乳ポンプシールド組立体。
【請求項１３】
前記凸状隆起部の各々は、前記可撓性膜の周囲から前記アクセスポートに隣接した箇所まで延びていることを特徴とする請求項１２記載の搾乳ポンプシールド組立体。
【請求項１４】
前記凸状隆起部の各々は、凸状の液滴形状特徴部を含むことを特徴とする請求項１２記載の搾乳ポンプシールド組立体。
【請求項１５】
前記一時的リザーバに及ぼされる吸引作用と、絞り出された母乳の前記一時的リザーバからの排出作用とを交互に行うことができるようにする一方向弁を更に有していることを特徴とする請求項７記載の搾乳ポンプシールド組立体。
【請求項１６】
母乳を前記一時的リザーバから収集受け器に運ぶバイパス搬送手段を更に有していることを特徴とする請求項７記載の搾乳ポンプシールド組立体。
【請求項１７】
前記一時的リザーバのところで前記バイパス搬送手段に通じる孔を更に有していることを特徴とする請求項１６記載の搾乳ポンプシールド組立体。
【請求項１８】
前記バイパス搬送手段は、更に、前記一時的リザーバの底部から延びていて、前記収集容器と連通した導管を有していることを特徴とする請求項１６記載の搾乳ポンプシールド組立体。
【請求項１９】
人の乳房を前記可撓性膜に接触させると、前記可撓性膜は撓んで、前記可撓性膜の内面を前記乳房シールドの内面に接触させることを特徴とする請求項７記載の搾乳ポンプシールド組立体。
【請求項２０】
搾乳ポンプ組立体であって、
人の乳房を受け入れるような寸法及び形状の開口部を有する円錐形乳房シールドと、
母乳を、人の乳房と前記円錐形乳房シールドとの間に設けられたリザーバから収集受け器に搬送するバイパス搬送手段と、を有していることを特徴とする搾乳ポンプ組立体。
【請求項２１】
乳房シールドに用いられる可撓性膜であって、本質的に平らな可撓性膜から成り、前記可撓性膜は、その周囲にぐるりと形成され且つ乳房シールドに解放自在に係合するような寸法及び形状になった弾性部と、人の乳房の乳首を受け入れるよう位置決めされた前記可撓性膜に形成されたアクセスポートと、を含み、前記可撓性膜は、人の乳房に接触すると、乳房シールドと協働して一時的リザーバを構成するような寸法及び形状になっていることを特徴とする可撓性膜。
【請求項２２】
前記可撓性膜は、複数の互いに間隔を置いた特徴部を有し、前記特徴部の各々は、凹状窪みと凸状特徴部のうち一方であり、前記アクセスポートの周りに配置された前記可撓性膜の外面に形成されていることを特徴とする請求項２１記載の可撓性膜。
【請求項２３】
前記可撓性膜は、複数の互いに間隔を置いた凹状窪みを含み、この凹状窪みは、前記アクセスポートの周りに配置された前記膜の外面に形成されていることを特徴とする請求項２１記載の可撓性膜。
【請求項２４】
前記複数の互いに間隔を置いた凹状窪みの各々は、前記アクセスポートと連通状態にある内縁部を有していることを特徴とする請求項２３記載の可撓性膜。
【請求項２５】
前記複数の互いに間隔を置いた凹状窪みの隣接した対は、これらの間に凸状の隆起部を形成することを特徴とする請求項２３記載の可撓性膜。
【請求項２６】
前記凸状隆起部の各々は、前記可撓性膜の周囲から前記アクセスポートに隣接した箇所まで延びていることを特徴とする請求項２５記載の可撓性膜。
【請求項２７】
前記凸状隆起部の各々は、凸状の液滴形状特徴部を含むことを特徴とする請求項２５記載の可撓性膜。
【請求項２８】
人の乳房を前記可撓性膜に接触させると、前記可撓性膜は撓んで、前記可撓性膜の内面を前記乳房シールドの内面に接触させることを特徴とする請求項２１記載の可撓性膜。
【発明の詳細な説明】
【技術分野】
【０００１】
本発明は、概略的には、授乳することに関し、特に、母乳を集めている間の漏れを阻止し、集めた母乳を哺乳容器内へ移す装置に関する。
【背景技術】
【０００２】
幼児への授乳の準備において、適当な授乳時まで、母乳を短期間の貯蔵に適した容器内に集めておかなければならない場合がある。また、母親が自分の赤ん坊に授乳することが不都合又は不可能な場合がある。かかる場合、一定量の母乳を適当な容器に入れておくことにより、赤ん坊はいつもの栄養源を取ることができるという利点が得られる。既知の母乳収集方法は、搾乳ポンプを利用することであり、かかる搾乳ポンプは、一般的には、乳房の上に嵌められるフード又はシールドと、シールドに連結され且つシールド内に負圧を間欠的に生じさせる真空ポンプと、絞り出された母乳の受け器又は容器とを有している。
【発明の開示】
【発明が解決しようとする課題】
【０００３】
米国特許第５，７２０，７２２号明細書は、母乳収集に用いられる装置及び機器を記載していて、かかる明細書中には、搾乳ポンプに関する他の技術文献が引用記載されている。上記明細書に説明されているように、米国特許第５，７２０，７２２号明細書の収集装置は、乳房を覆い、真空ポンプの間欠的作動中、吸引力により乳房の表面に係合されるようになるシールドを有する。吸引サイクルと吸引サイクルの間、シールドが乳房の表面から離れる場合がある。これにより、絞り出されたミルクがシールドの周囲のところのリムから漏れ出る恐れがある。シールドが、主としてシールドのリムの前縁部によるシールの形成を利用する比較的剛性の材料で作られている場合、母乳を失うことがより顕著な場合がある。このような事態を回避するため、搾乳ポンプのユーザは、僅かに前かがみになり、それにより、絞り出されたミルクが漏斗形状シールドから受け器内に下方に排出するようにする場合がある。
典型的には、母親が横臥姿勢のままで搾乳ポンプを利用できるようにする方法は存在しない。子供の誕生後の時間は、母親がベッドに体を横たえようとし、又は横臥姿勢で休息しようとするときであるので、上記方法が子供の誕生後における病院施設において特に重要な場合がある。さらに、横臥姿勢で母乳収集を一段と行い易くする一時的流体貯蔵手段がシールドそれ自体の容積部の中に設けられていないのが一般的である。
【課題を解決するための手段】
【０００４】
とりわけ上述の問題に鑑みて、本発明は、搾乳ポンプにおける改良及び顕著な利点をもたらすようなされたものである。
当該技術分野で知られていて、本発明に従って構成された搾乳ポンプ構造に用いられる円錐形又は漏斗形状シールドは、今や、搾乳ポンプ構造と乳房表面の接合部のところにおける漏れによる液体の損失を生じさせないで、横臥姿勢を含む比較的快適な状態で母乳を収集できるようにする。横臥姿勢でも漏れのない母乳の収集を可能にする本発明による装置及び方法は、一形態として、ポンプ送り操作中、乳房が円錐形シールドの口を覆って円錐形シールドのところに位置決めされると、乳房とこれを受け入れている組立体との間の表面間接触を増強させると共により一定にする可撓性封止膜を利用している。さらに、本発明の封止膜は、乳房の寸法及び形状のばらつきに対応することができる。
【０００５】
開示した一実施形態では、可撓性封止膜は、そのほぼ中央に設けられた孔（本明細書では、穴又はアクセスポートともいう）を有している。この孔を通って、母乳がシールドの内部に入り、次にシールドに取り付けられている収集容器（壜）に移動する。孔を通過した母乳は、可撓性封止膜の内面とシールドの内壁との間に形成された一時的リザーバに溜まる。横臥姿勢では、集められた母乳は、本発明の装置の再位置決めにより母乳が収集容器内へ排出されるまで（例えば、母親が立ち上がるまで）一時的リザーバ内に保持される。
【０００６】
本発明の別の特徴では、母乳を一時的リザーバから収集容器内へ連続的に移すことができるようにする設計変更を円錐形シールドの壁に施すことが有利である。この特徴により、提供者が一時的リザーバを排乳するよう定期的に前かがみになる必要がなくなる。設計変更は、好ましくは、収集組立体を斜めに配置すると母乳が受入れ容器内に自然には流れないようになる場合、通常の母乳送出経路を短絡させるバイパス管（漏斗形状シールド構造体の幅の狭い部分を通って）の形態をとっている。バイパス管が組立体中に設けられる場合、母親は、母乳の絞り出し操作の全体にわたって横臥姿勢を保ち又はとることができる。
【０００７】
本発明による可撓性封止膜を備えた円錐形シールドにより、母乳の便利且つ快適で、しかも漏れのない衛生的な収集が可能になる。具体的に説明すると、本発明は、搾乳ポンプの流体収集装置に解放自在に係合するような寸法及び形状になった可撓性膜を提供する。可撓性膜は、搾乳ポンプ組立体の流体コレクタに解放自在に係合できるようになった封止部分を備える可撓性本体と、外側部が乳房に当接するアクセスポートとを有する。アクセスポート及び可撓性本体は、絞り出された母乳を提供者の乳房から可撓性膜を横切ってその内側部に差し向けるよう構成されている。このように、可撓性本体は、従来通り設計された搾乳ポンプ組立体の内側部と漏斗形状シールドとの間に母乳保持空間を形成するよう形作られている。可撓性膜は又、新規な設計の対象であるかかるリザーバを製作する際、その機能とは別個に乳房シールドに用いられるようになっている。
【０００８】
一実施形態では、ラテックス材料を可撓性膜に用いた。具体的に説明すると、ラテックスコンドームの閉鎖端部のところに切断により孔を形成し、次いで、それをシールドの通常開いている口部の周りに引き伸ばして、可撓性封止膜及び一時的保持リザーバを形成することによって、ラテックスコンドームを改造した。コンドームは、上述以外の改造を必要としなかった。
上述の作用効果は、一般的には、搾乳ポンプ組立体に関して本明細書で開示した例示の装置及び機構に当てはまる。本発明の上記利点及び特徴並びに他の利点及び特徴は、添付の図面と関連して或る幾つかの実施形態についての以下の詳細な説明を読むと一段とよく理解されよう。
【発明を実施するための最良の形態】
【０００９】
開示した実施形態は、種々の変形形態で実施できる本発明の単なる例示に過ぎないことは理解されるべきである。図面は、必ずしも縮尺通りには作成されておらず、幾つかの特徴は、特定の構成要素の細部を示すために誇張され又は矮小化されている場合がある。したがって、本明細書において開示した特定の構造的細部及び機能的細部は、本発明を限定するものではなく、単なる例示であり、当業者に本発明を種々の形態で実施するよう教示するための代表的な基本原理として解されるべきである。
【００１０】
図１〜図４を参照すると（図中、同一の符号は同一の部品を示している）、図１は、本発明による流体収集装置即ち組立体１０の第１の実施形態の側面図である。装置１０の主目的は、母乳の収集にある。この目的のため、装置１０は、人の乳房の乳首領域を越えて延びる適当な寸法の円錐形又は実質的に漏斗形状のシールド又は覆い１２を用いている。シールド１２について他の形状を用いても良い。円錐形シールドは、乳房の乳首を受け入れるような寸法及び形状になっており且つ漏斗形状部分から下流側に位置した円錐形乳首トンネル１５を有している。本明細書では流体コレクタと称する円錐形シールド１２は、送出管（又は管状延長部）１４に取り付けられており、この送出管１４は、流体を集めるとき、ちょうどジャーのてっぺんの蓋のように、通常はねじ山の設けられたカバー又はカラー１６を送出導管１４と関連した取外し可能なリザーバ（図示していないが、例えば壜）に連結することによって、流体を取外し可能なリザーバ内に案内する。ミルク収集は、当該技術分野で周知のように、吸引出口１８に連結された吸引ポンプを用いて流体収集装置内部の圧力を間欠的に減少させることにより引き起こされる（これについては、例えば米国特許第４，８５７，０５１号明細書を参照されたい）。
【００１１】
収集操作中にミルクをこぼさないようにするために、円錐形シールド１２の最も幅広の寸法の即ち開口している口を、封止用可撓性膜２０によって覆うのがよく、この可撓性膜２０は、そのほぼ中央に位置したアクセスポート２４（図３も参照のこと）を有している。封止用可撓性膜２０は、これが円錐形シールド１２の口を横切って伸びることを可能にするのに十分な弾性を有し、その周縁部の周りに延び且つ円錐形シールド１２の外面を掴む肉厚な弾性バンド２２によって適所に保持される。可撓性膜２０は、それが漏斗形状シールド１２に取り付けられる前、一例として、図２に示す外観を備えた管状構造体２６の形態をしているのがよい。流体収集装置１０に適した可撓性膜を得るために、図２の記載内容から、従来通り設計されたコンドームを本明細書に記載された教示に従って設計変更すれば良いことが理解されよう。
【００１２】
管状構造体２６は、開口端部のところに肉厚の弾性バンド２２を含み、常態では閉鎖されている端部のところに、アクセスポート２４用の開口を有している。肉厚の弾性バンド２２を掴んでこれを円錐形シールド１２の口の周りに均一に引き伸ばすことにより、図３に示す可撓性膜２０を得ることができることは理解されよう。
円錐形シールド１２の口部の端面図が図３に示され、図３は、円錐形シールド１２の口部の上に引き伸ばされた封止用可撓性膜２０を示している。封止用可撓性膜２０の弾性及び可撓性により、可撓性膜が、円錐形シールド１２に挿入された乳房の輪郭にならって、収集操作中におけるミルクの漏れを防止する表面間シールを形成することを可能にする。流体収集装置１０の円錐形シールド１２の位置決めの際に少し注意を払うと、乳首と可撓性膜２０のアクセスポート２４との位置合わせが行われて、母乳を直接、送出管１４内に移し、次いで、連結カバー１６に取り付けられている収集リザーバ（図示せず）内に移すことができるようになる。漏れのないシールを形成することにより、吸引出口１８に取り付けられている吸引ポンプの影響下で減圧作用を受けた密閉容積部が得られる。
【００１３】
図１は、流体が送出管１４内に流入する前、この側面図ではＶ字形トラフ部分２８として示されており且つ三次元三日月形部分である円錐形シールド１２の一部分が、流体を集め、ついには、集めた量がトラフ部分２８の容積を超えるようになることを示している。トラフ部分２８がいっぱいになると、母乳は、送出管１４を流下して連結カバー１６に取り付けられているリザーバ内に流れることになる。組立体１０を時々図１に示すように直立位置に傾けることにより、トラフ部分２８によって得られたリザーバの内容物全部を空にすることができる。これにより、一時的に集められた母乳が容積のより大きな受入れ容器内に流れ落ちるようにする。
【００１４】
リザーバ２８内に一時的に集められる母乳の量を最小限に抑えようとして、母親は、一般的には、比較的直立した姿勢をとり又は容器を傾ける。これにより、容器への最大流量が得られるが、このことが母親にとって心地良くない場合がある。このことは、リザーバ２８をいっぱいにすることなしに、より多くの量のミルクを集めることを少なくとも阻止する。このことは、膜２０とシールド１２との間の漏れの一因となる悪影響を及ぼすことがある。さらに、母親が十分後ろに反ると、リザーバ２８がいっぱいになった形態の結果として、乳首受入れ孔から逆流が生じる場合がある。
【００１５】
提供者が母乳絞り出し操作中に横臥したままである場合の解決策が、図４に示されている。図４では、トラフ部分２８を空にするために、逃がし管３０がシールド１２の設計に組み込まれていることが示されている。シールド１２のところでの逃がしは、単に、受け器に直接連結された孔の形態で得ることができる。本発明の目的のために逃がし管３０を用いる場合、逃がし管３０は、好ましくは、送出管１４と連結カバー１６との間のネック３４のところ又はその近くに形成された逃がし入口３２に連結される。逃がし管３０と逃がし入口３２との間に位置するバイパス管、パイプ又は他の搬送手段３６は、送出管１４の中を通ることなく、母乳をトラフ部分２８から差し向ける補助チャネルを構成する。バイパス搬送手段３６、逃がし管３０及び逃がし入口３２をひとまとめにして、又は、それらを種々に組み合わせた状態でバイパス組立体と呼ぶことができる。
【００１６】
変形例としてのこの流体収集装置を用いると、母親は、流体収集装置１０の使用前使用中、及び使用後、横臥姿勢をとってそのままでいることができ、それにより、母乳収集操作中、非常に都合がよく且つ快適でいることができる。逃がし管３０の位置決め及び寸法決めに基づき、送出管１４を省いてバイパス管又はパイプ３６を用い手も良い。いずれの場合においても、即ち、バイパス構成が単独で用いられても、或いは、従来型送出管１４と組み合わせて用いられても、逃がし管３０は典型的にはシールド１２を貫通する孔として構成され、好ましくは、可撓性膜２０を更に取り付けることができるシールド１２の開いた口部の近くに配置される。
【００１７】
バイパス組立体の中を通る吸引力の任意の潜在的な低下を防止するため、バイパスの通路を横切る一方向弁を設け、吸引力を加えたときに弁が閉じて所要の真空を損なう恐れのある空気の逆流を防止するように空気を差し向けるのがよい。吸引力を解放すると、弁が開き、リザーバ２８から収集受け器への絞り出しされたミルクの排出が可能になる。
【００１８】
本発明は更に、少なくとも封止用可撓性膜２０を備えた流体収集装置１０を設けることを含む方法に関する。Ｖ字形トラフ部分２８は、少なくとも一時的に絞り出されたミルクを受け入れるために設けられる。母親は、直立又は横臥姿勢のいずれかで絞り出し操作を開始する。バイパス管３６が設けられていない場合、母親は、時々少なくとも立ち上がって収集したミルクをリザーバ２８から送出管１４を介して永続的な収集受け器内へ移すことを望む場合がある。バイパス管３６が設けられている場合、母親は、絞り出し中、少しも立ち上がる必要がない。すなわち、母親は、絞り出しを開始した時に横臥状態であることができるだけでなく、その操作全体にわたってしかもその完了後でも横臥状態のままでいることができる。横臥姿勢をいつでもとれる理由は、バイパス管がリザーバ領域２８から永続的な受入れ容器への絞り出しミルクの実質的に連続した排出を容易にするということにある。
【００１９】
図５〜図７を参照すると（図中、同一の符号は同一の部分を示している）、図５及び図６は、外面１４２を含む本発明による膜１２０の実施形態を示している。膜１２０は、任意適当な可撓性弾性材料、例えば、天然ゴム又は合成ゴムで作られるのが良い。膜１２０、はほぼ円盤の形をしており、その外周部１４０の周りに形成された弾性バンド１２２を含んでいる。弾性部分即ち弾性バンド１２２は、円錐形シールド１２（図１）の口部に解放自在に係合するような寸法及び形状になっている。膜１２０は、アクセスポート１２４を更に含み、このアクセスポートは、膜の中央に形成された開口である。
【００２０】
膜の外面１４２には、複数の互いに間隔を置いた凹状窪み１４４が形成されており、これら窪みは、概略的には、円形である。凹状窪み１４４の各々の内縁部１４６は、側壁無しに形成されていて、従って、内縁部１４６はポート１２４と連通状態にある。図示の実施形態では、膜１２０の外面１４２には５つの窪み１４４が設けられている。本発明の範囲は、任意適当な数の窪み、例えば、３〜１０個の窪みに及ぶ。
複数の互いに間隔を置いた窪み１４４の間には、凸状隆起部１４８が形成されており、この凸状隆起部は、弾性バンド１２２からポート１２４に向かって延びている。
【００２１】
膜１２０の内面１５０が図７に示されており、図７では、凹状窪み１４４の内方側部が、その上に緩やかに凸状になった特徴部を形成していることが理解できる。
【００２２】
図８〜図１０を参照すると（図中、同一の符号は同一の部分を示している）、図８及び図９は、外面２４２を含む本発明による膜２２０の別の実施形態を示している。膜２２０は、ほぼ円盤の形をしており、その外周部２４０の周りに形成された弾性バンド２２２を含んでいる。弾性バンド２２２は、円錐形シールド１２（図１）の口部に解放自在に係合するような寸法及び形状になっている。膜２２０は、アクセスポート２２４を更に含み、このアクセスポート２２４は、膜の中央に形成された開口である。
【００２３】
膜の外面２４２上には、複数の互いに間隔を置いた凹状窪み２４４が形成されており、これら窪みは、弧状のコーナーを有し且つほぼ矩形である。凹状窪み２４４の各々の内縁部２４６は、側壁無しに形成されていて、その結果、内縁部２４６はポート２２４と連通状態にある。図示の実施形態では、膜２２０の外面２４２には５つの窪み２４４が設けられている。本発明の範囲は、任意適当な数の窪み、例えば、３〜１０個の窪みに及ぶ。
【００２４】
複数の互いに間隔を置いた窪み２４４の各々の間には、凸状隆起部２４８が形成されており、この凸状隆起部２４８は、弾性バンド２２２からポート２２４に向かって延びている。凸状隆起部２４８の各々は、外周部２４０からポート２２４に向かってテーパしている。加うるに、凸状隆起部２４８の各々は、凸状の液滴形状の特徴部２６０を有している。液滴形状特徴部２６０の各々は、外周部２４０に隣接した箇所が最も幅が狭くなっている。
【００２５】
膜２２０の内面２５０が図１０に示されており、図１０では、凹状窪み２４４の内方側部には、緩やかに凸状になった特徴部が形成されていることが理解できる。
【００２６】
膜（１２０，２２０）を円錐形シールド１２上に配置すると、膜は、膜材料の弾性により乳房シールド内壁から離れて保持される。母親が乳房を膜の外面（１４２，２４２）に接触させると、膜の材料は撓んで乳房シールド内壁に接触する。乳房を膜から取り外すと、膜はその初期位置に戻り、絞り出された母乳が漏斗形状シールドから外方に流出して潜在的に乳房シールドのシールド部分から出てユーザにかかることを防止するよう働く。さらに、膜は、それが乳首トンネル１５（図１）内へ吸い込まれることを防止する寸法及び形状になっている。したがって、乳首トンネルの直径は小さくならない。加うるに、膜は、ポンプからの真空の結果として生じる母親の乳房の乳輪と乳首との間の動きに悪影響を及ぼさない。
【００２７】
欧州特許出願公開第０１９８６５１Ａ２号明細書は、この出願の図６に示すような真空装置のカップ部材（１）と関連した可撓性ダイヤフラム（２）を開示している。可撓性ダイヤフラム（２）をカップ部材の口の上に嵌め、１以上の弾性リングによって適所に維持すること、及び、これら弾性リングは、ダイヤフラムの縁部を溝内に十分に押し込んで、カップの外壁とダイヤフラムとの間に気密連結部を形成することを説明している。しかしながら、この出願は、本出願人の本発明に従って開示されているような一時的収集リザーバを設けることを開示していない。これは、真空源が適用された場合「乳首はカップ部材の後部に優しく、しかも、しっかりと吸い付けられる」と記載された、欧州特許出願公開第０１９８６５１Ａ２号明細書の第５頁第１７行の説明から特に明らかである。
【００２８】
更に、膜と円錐形シールドとの間の空間に絞り出しミルクのリザーバとして一時的に作用させる特徴を含む、提供者が横臥姿勢にある母乳の収集方法は、欧州特許出願公開第０１９８６５１Ａ２号明細書には開示、教示又は示唆がなされていない。
搾乳ポンプの形態の流体収集装置、並びにその構成及び利用方法を説明した。当業者の想到できるこれらの変形例及び他の変形例は、特許請求の範囲に記載された本発明の範囲に属する。上述したように、本発明の詳細な実施形態を本明細書において開示したが、開示された実施形態は、種々の形態で実施できる本発明の単なる例示に過ぎないことは言うまでもない。
【図面の簡単な説明】
【００２９】
【図１】本発明による母乳収集装置の側面図である。
【図２】図１の搾乳ポンプ組立体に利用される予備据え付け管状形態の可撓性膜の斜視図である。
【図３】本発明による母乳収集装置の据え付け状態の可撓性膜の正面図である。
【図４】母親からの横臥状態での母乳の絞り出しを容易にするバイパス管を含む本発明による搾乳ポンプ組立体の変形実施形態の側面図である。
【図５】本発明による可撓性膜の一実施形態の正面から見た斜視図である。
【図６】図５の可撓性膜の横から見た別の斜視図である。
【図７】図５の膜の背面図である。
【図８】本発明による可撓性膜の別の実施形態の正面から見た斜視図である。
【図９】図８の可撓性膜の横から見た別の斜視図である。
【図１０】図８の膜の背面図である。
【国際公開パンフレット】
2004528907.tif 000003
2004528907.tif 000004
2004528907.tif 000005
2004528907.tif 000006
2004528907.tif 000007
2004528907.tif 000008
2004528907.tif 000009
2004528907.tif 000010
2004528907.tif 000011
2004528907.tif 000012
2004528907.tif 000013
2004528907.tif 000014
2004528907.tif 000015
2004528907.tif 000016
2004528907.tif 000017
2004528907.tif 000018
2004528907.tif 000019
2004528907.tif 000020
2004528907.tif 000021
2004528907.tif 000022
2004528907.tif 000023
2004528907.tif 000024
2004528907.tif 000025
2004528907.tif 000026
2004528907.tif 000027
2004528907.tif 000028
2004528907.tif 000029
【国際公開パンフレット（コレクトバージョン）】
2004528907.tif 000030
2004528907.tif 000031
【国際調査報告】
2004528907.tif 000032